(57)【要約】      （修正有）【課題】面光源装置の輝度ムラを抑制すること。【解決手段】面光源装置１００は、第１及び第２導光板１０ａ、１０ｂ、第１及び第２反射シート１２ａ、１２ｂ、第１及び第２光源８ａ、８ｂ、光源駆動回路１９を含む。第１導光板は、一方側面から入射する光を特定方向へ偏向させて出射させる第１光学制御部１６ａと、第１光学制御部よりも第１光源から遠い側に設けられた第１透光部２３ａとを有する。第２導光板は、一方側面から入射する光を伝搬させる第２透光部２３ｂと、第２導光部よりも第２光源から遠い側に設けられており光を特定方向へ偏向させて出射させる第２光学制御部１６ｂとを有する。第１導光板と第２導光板は、その積層方向において、第１反射シートと第１光学制御部とが重なるとともに、第２光学制御部と第１透光部とが重なるように配置されている。【選択図】図１
2018198158.tif 000002
【特許請求の範囲】
【請求項１】
光出射面から面状に光を出射させる面光源装置であって、
積層して配置される第１導光板及び第２導光板と、
前記第１導光板の一方側面から光を入射させる第１光源と、
前記第１導光板と同じ側の前記第２導光板の一方側面から光を入射させる第２光源と、
前記第１光源及び前記第２光源を駆動する光源駆動回路と、
前記第１導光板の前記第２導光板との対向面側において当該対向面の前記第１光源に近い側の一部領域と平面視で重なるようにして配置された第１反射シートと、
前記第２導光板の前記第１導光板との対向面と反対面側において当該反対面のほぼ全体と平面視で重なるようにして配置された第２反射シートと、
を含み、
前記第１導光板は、前記一方側面から入射する光を特定方向へ偏向させて当該第１導光板から出射させる第１光学制御部と、当該第１光学制御部よりも前記第１光源から遠い側に設けられた第１透光部と、を有しており、
前記第２導光板は、前記一方側面から入射する光を伝搬させる第２透光部と、当該第２導光部よりも前記第２光源から遠い側に設けられており前記光を特定方向へ偏向させて当該第２導光板から出射させる第２光学制御部と、を有しており、
前記第１導光板と前記第２導光板は、その積層方向において、前記第１反射シートと前記第１光学制御部とが重なるとともに、前記第２光学制御部と前記第１透光部とが重なるように配置されている、
面光源装置。
【請求項２】
前記第２導光板は、前記第２透光部に設けられた複数の切断部を更に有する、
請求項１に記載の面光源装置。
【請求項３】
前記複数の切断部は、各々の一端側と前記第２光学制御部との間に所定距離を設けて配置されている、
請求項２に記載の面光源装置。
【請求項４】
前記第２導光板は、前記一方側面と前記複数の切断部の各々との間に設けられた接合部を更に有する、
請求項２又は３に記載の面光源装置。
【請求項５】
前記第１導光板が前記第２導光板よりも前記光出射面に近い側に配置される、
請求項１〜４の何れか１項に記載の面光源装置。
【請求項６】
前記第１光源及び前記第２光源の各々は、複数の発光素子を有しており、
前記光源駆動装置は、前記第１光源及び前記第２光源の各々ごとに、前記複数の発光素子のうち１つ以上の発光素子を含むブロックを設定して当該ブロック毎に当該発光素子を点消灯制御する、
請求項１〜５の何れか１項に記載の面光源装置。
【発明の詳細な説明】
【技術分野】
【０００１】
本発明は、面状に光を射出する発光面を有する面光源装置に関する。
【背景技術】
【０００２】
面光源装置の従来例は、例えば特許第４９４９２７８号公報（特許文献１）に記載されている。この特許文献１に記載される面状照明装置（面光源装置）は、長さの異なる複数の透明基板を積層配置して階段形状に構成された導光ユニットと、この導光ユニットの各透明基板ごとに配置された光源と、各透明基板の出射面側と反対側に設けられた反射部材を備えており、各透明基板には光源から入射する光を出射面側へ向けるための光路変換手段が設けられている。
【０００３】
ところで、特許文献１に記載される面状照明装置では、長さの異なる透明基板を重ねて階段形状に構成しているため、光出射面側から見たときに各透明基板の端部において照射光の切れ目が出来てしまいやすく、この切れ目が暗線として視認されて輝度ムラを生じさせるという点で改良の余地がある。このような輝度ムラは、照射光の高輝度化に伴ってより顕著になる。
【先行技術文献】
【特許文献】
【０００４】
【特許文献１】特許第４９４９２７８号公報
【発明の概要】
【発明が解決しようとする課題】
【０００５】
本発明に係る具体的態様は、面光源装置の輝度ムラを抑制し、コントラストを向上することを目的の１つとする。
【課題を解決するための手段】
【０００６】
本発明に係る一態様の面光源装置は、光出射面から面状に光を出射させる面光源装置であって、（ａ）積層して配置される第１導光板及び第２導光板と、（ｂ）前記第１導光板の一方側面から光を入射させる第１光源と、（ｃ）前記第１導光板と同じ側の前記第２導光板の一方側面から光を入射させる第２光源と、（ｄ）前記第１光源及び前記第２光源を駆動する光源駆動回路と、（ｅ）前記第１導光板の前記第２導光板との対向面側において当該対向面の前記第１光源に近い側の一部領域と平面視で重なるようにして配置された第１反射シートと、（ｆ）前記第２導光板の前記第１導光板との対向面と反対面側において当該反対面のほぼ全体と平面視で重なるようにして配置された第２反射シートと、を含み、（ｇ）前記第１導光板は、前記一方側面から入射する光を特定方向へ偏向させて当該第１導光板から出射させる第１光学制御部と、当該第１光学制御部よりも前記第１光源から遠い側に設けられた第１透光部と、を有しており、（ｈ）前記第２導光板は、前記一方側面から入射する光を伝搬させる第２透光部と、当該第２導光部よりも前記第２光源から遠い側に設けられており前記光を特定方向へ偏向させて当該第２導光板から出射させる第２光学制御部と、を有しており、（ｉ）前記第１導光板と前記第２導光板は、その積層方向において、前記第１反射シートと前記第１光学制御部とが重なるとともに、前記第２光学制御部と前記第１透光部とが重なるように配置されている、面光源装置である。
【０００７】
上記構成によれば、面光源装置の輝度ムラを抑制し、コントラストを向上することが可能となる。
【図面の簡単な説明】
【０００８】
【図１】図１は、一実施形態の面光源装置の構成を示す模式的な断面図である。
【図２】図２は、光学制御部の構成例を示す模式的な断面図である。
【図３】図３は、光源から出射する光の導光板内部での挙動（伝搬状態）について説明するための図である。
【図４】図４は、プリズムシートの構成例を示す模式的な断面図である。
【図５】図５は、下層側の導光板の透光部の構造を示す平面図および部分拡大平面図である。
【図６】図６は、多くの発光領域を有する面光源装置の構成例を示す模式的な斜視図である。
【図７】図７は、他の実施形態の面光源装置の構成を示す模式的な断面図である。
【図８】図８は、導光板の上面側に光学制御部を設けた場合の導光板内部での挙動（伝搬状態）について説明するための図である。
【図９】図９は、他の実施形態の面光源装置の構成を示す模式的な断面図である。
【図１０】図１０は、他の実施形態の面光源装置の構成を示す模式的な断面図である。
【図１１】図１１は、切断部領域を拡大して示した斜視図である。
【発明を実施するための形態】
【０００９】
図１は、一実施形態の面光源装置の構成を示す模式的な断面図である。図１に示す面光源装置１００は、光出射面（発光面）から面状に光を出射させるものであり、２つの光源８ａ、８ｂ、２つの導光板１０ａ、１０ｂ、２つの反射シート１２ａ、１２ｂ、プリズムシート１４、光源駆動回路１９を含んで構成されている。この面光源装置１００は、図中上側へ向けて光を射出するものであり、その光出射面が２つの発光領域Ａ０１、Ａ０２に分割されており、各領域ごとに個別に光を射出可能に構成されている。本実施形態ではプリズムシート１４の上面が「光出射面」を構成する。なお、本実施形態では導光板１０ａが「第１導光板」に対応し、導光板１０ｂが「第２導光板」に対応し、光学制御部１６ａが「第１光学制御部」に対応し、光学制御部１６ｂが「第２光学制御部」に対応する。
【００１０】
光源８ａは、導光板１０ａの図中左端側に配置されており、導光板１０ａの左端側の側面である光入射面へ光を入射させる。光源８ｂは、導光板１０ｂの図中左端側に配置されており、導光板１０ｂの左端側の側面である光入射面へ光を入射させる。本実施形態では、２つの光源８ａ、８ｂは、各導光板１０ａ、１０ｂにおける共通の一端側である左端側に配置されている。また、本実施形態ではこれらの光源８ａ、８ｂは、ＬＥＤなどの発光素子を１つ以上含んで構成された光源であり、光源駆動回路１９によって駆動される。
【００１１】
導光板１０ａは、光源８ａから入射する光を導光して所定位置から上面側へ出射させるものである。導光板１０ｂは、光源８ｂから入射する光を導光して所定位置から上面側へ出射させるものである。本実施形態では、各導光板１０ａ、１０ｂは、それぞれフィルム状の導光板であり、図中左右方向における長さがほぼ同じであり、図中上下方向に積層して配置される。このような導光板１０ａ、１０ｂとしては、例えば特開２０１５−０６０７６５号公報などの公知文献に記載されているものを用いることができる。
【００１２】
導光板１０ａは、光出射面に最も近い位置に配置されており、その下面側に部分的に配置される光学制御部１６ａを有している。この導光板１０ａの上面側には、導光板の出射光を集光する役割（機能）を有する連続または不連続なレンチキュラーパターンが等間隔で全面に形成されていてもよい。この導光板１０ａの光学制御部１６ａが形成されている範囲が上記した発光領域Ａ０１に対応付けられている。
【００１３】
導光板１０ｂは、導光板１０ａに比べて光出射面から相対的に遠い位置に配置されており、その下面側に部分的に配置される光学制御部１６ｂを有する。詳細には、導光板１０ｂの光学制御部１６ｂは、導光板１０ａの光学制御部１６ａと重ならない位置に設けられている。この導光板１０ｂの上面側には、導光板の出射光を集光する役割（機能）を有する連続または不連続なレンチキュラーパターンが等間隔で全面に形成されていてもよい。この導光板１０ｂの光学制御部１６ｂが形成されている範囲が上記した発光領域Ａ０２に対応付けられている。
【００１４】
光学制御部１６ａは、導光板１０ａの図中下面に設けられている。この光学制御部１６ａは、光源８ａから入射する光を特定方向に偏向させて導光板１０ａの図中上面側へ出射させるものであり、複数の微小な凹凸によって形成される反射面を有している。なお、光学制御部１６ｂも同様の構成を有している。図示のように、光学制御部１６ａは、相対的に光入射面との距離が近い位置に配置されており、光学制御部１６ｂは、相対的に光入射面との距離が遠い位置に配置されている。また、各導光板１０ａ、１０ｂは、それぞれの積層方向（図中上下方向）において互いにほとんど重ならないようにして配置されている。なお、各光学制御部１６ａ、１６ｂは、互いの一端側が僅かに重なっていてもよい。
【００１５】
透光部２３ａは、導光板１０ａの上面と下面に挟まれた部分であり、透光性を有し、導光板１０ａにおいて光学制御部１６ａよりも光源８ａから遠い側に配置されている。また、透光部２３ｂは、導光板１０ｂの上面と下面に挟まれた部分であり、透光性を有し、導光板１０ｂにおいて光学制御部１６ｂよりも光源８ｂに近い側に配置されている。透光部２３ｂは、光源８ｂから導光板１０ｂの一方側面へ入射する光を図中右方向に沿って導いて光学制御部１６ｂへ到達させるための導波路として機能する。光学制御部１６ｂは、導光板１０ａの透光部２３ａと平面視で重なるように配置されており、光学制御部１６ｂによって偏向されて導光板１０ｂの図中上面側へ出射した光は透光部２３ａを透過してプリズムシート１４へ入射する。
【００１６】
反射シート１２ａは、導光板１０ａの下面側において光学制御部１６ａの設けられた範囲と平面視で重なるようにして配置されている。反射シート１２ａと導光板１０ａの光学制御部１６ａとの間には空気層が存在する。また、反射シート１２ｂは、導光板１０ｂの下面側において、光学制御部１６ｂの設けられた範囲を含む導光板１０ｂの下面のほぼ全体と平面視で重なるようにして配置されている。反射シート１２ｂと導光板１０ｂの光学制御部１６ｂとの間には空気層が存在する。
【００１７】
プリズムシート１４は、導光板１０ａと対向する一面側に多数のプリズム部を有しており、この一面側に斜め方向から入射する光を他面側の法線方向へ出射させる。なお、プリズムシート１４の多数のプリズム部は、導光板１０ａと対向しない他面側に設けられていてもよい。
【００１８】
図２は、光学制御部の構成例を示す模式的な断面図である。なお、ここでは光学制御部１６ａについて例示するが、他の光学制御部１６ｂについても同様の構成である。図示のように、光学制御部１６ａは、導光板１０ａの図中下面に突出して設けられた断面三角形状の凸部である複数のプリズム部２０ａを含んで構成されている。各プリズム部２０ａは、２つの斜面２１ａ、２２ａを有する。なお、このような光学制御部１６ａ等としては、例えば特許第５０６６７４１号公報などの公知文献に記載されているものを用いることができる。
【００１９】
図３は、光源から出射する光の導光板内部での挙動（伝搬状態）について説明するための図である。ここでは、導光板１０ａを簡素化して示すとともに、導光板１０ａの内部における光路を細線によって模式的に示している。図示のように、導光板１０ａの上面へ出射する光は、乱反射光や拡散光ではなく直進性を持つ光として導光板１０ａの上面において、この上面の法線方向を基準としてそれと一致しない斜め方向に一定角度で偏向されて出射する。
【００２０】
詳細には、光源８ａから導光板１０ａへ入射した光は、直接的あるいは導光板１０ａの上面で反射して光学制御部１６ａに到達し、プリズム部２０ａに反射され、上面または下面への入射角が臨界角（例えば、アクリルの導光板では４２．２°）より小さくなるまでの間は光学制御部１６ａの存在する区間において全反射を繰り返し、入射角が臨界角に達すると導光板１０ａの上面側へ出射する。この出射した光は、プリズムシート１４へ到達する。
【００２１】
導光板１０ｂにおける挙動も基本的には同様である。導光板１０ｂの場合には、光源８ｂから入射した光は、光学制御部１６ｂの存在しない透光部２３ｂにおいては、上面または下面への入射角θが臨界角を超えている成分が全反射を繰り返しながら導光板１０ｂを伝搬して光学制御部１６ｂへ到達する。その後の挙動は導光板１０ａと同様である。
【００２２】
光学制御部１６ａのプリズム部２０ａへの入射角θが臨界角よりも小さい場合には、光が空気層へ出射し、導光板１０ａを通過して反射シート１２ａへ到達し、反射シート１２ａによって反射されて再び導光板１０ａを通過して導光板１０ａに戻る。同様に、光学制御部１６ｂのプリズム部２０ｂへの入射角θが臨界角よりも小さい場合には、光が空気層へ出射して反射シート１２ｂへ到達し、反射シート１２ｂによって反射されて再び導光板１０ｂに戻る。
【００２３】
図４は、プリズムシートの構成例を示す模式的な断面図である。図示のようにプリズムシート１４は、導光板１０ａ等と対向する一面側（図中下面）に、各々の断面が略三角形であって紙面と直交方向に厚さ方向を有する三角柱状の凸部であるプリズム部３０ａを複数有している。各プリズム部３０ａの形状は、図４に示すように∠ＯＡＢと∠ＯＡＣと弧ＡＣの半径によって決定される。弧ＡＣのほかに直線もしくはスプライン曲線、放物線等の任意曲線を用いてもよい。各プリズム部３０ａは、∠ＯＡＢに対応する斜面３１ａと、弧ＡＣに対応する斜面３２ａを有する。導光板１０ａ、１０ｂから出射してプリズムシート１４の下面へ斜め入射した光は、各プリズム部３０ａの斜面３１ａへ入射して屈折し、斜面３２ａにおいて全反射されて、プリズムシート１４の上面の法線方向へ出射する。なお、このようなプリズムシート１４としては、例えば特許第４０４４５１１号公報などの公知文献に記載されているものを用いることができる。
【００２４】
図５は、下層側の導光板１０ｂの透光部２３ｂの構造を示す平面図および部分拡大平面図である。導光板１０ｂの透光部２３ｂには、光源８ｂからの光の進行方向に沿った方向に複数の切断部（溝部）４０が設けられている。本例での各切断部４０は、互いに間隔を空けて配置されている。詳細には、各切断部４０は、光源８ｂの単位ブロック（例えば、数個の発光素子ごとのブロック）の間隔に対応づけて配置することが好ましい。切断部４０同士の間隔は、例えば４０ｍｍ程度にすることができる。
【００２５】
また、各切断部４０は、導光板１０ｂの厚み方向において上面と下面の間で貫通した溝（孔）として形成されていることが好ましい。これにより、導光板１０ｂの透光部２３ｂには、所定間隔で空気層が配置されることになる。導光板１０ｂの切断部４０を挟んで対向する面同士の間は、空気層を介在させつつ接触していてもよいし、数μｍから数ｍｍほど離れていてもよい。
【００２６】
また、導光板１０ｂの端部と各切断部４０との間には、接合部４１が設けられている。すなわち、各切断部４０は、導光板１０ｂの端部までは達しておらず、導光板１０ｂの端部は接合部４１によって接合されている。接合部４１の幅、すなわち導光板１０ｂの端部と各切断部４０との間の距離は、適宜設定されるものであり、例えば数ｍｍである。このような接合部４１を設けることで、面光源装置１００の組み立て時における導光板１０ｂの組み込み工数を低減することができる。ただし、原理上はこの接合部４１を省略してもよい。すなわち、各切断部４０が導光板１０ｂの端部まで達していてもよい。
【００２７】
上記の各切断部４０および接合部４１を設けるための加工は、例えば導光板１０ｂの成形に用いる抜き型に刃物を追加することで容易に実現できる。この場合、例えばポリカーボネート製のフィルム導光板を用いることが好ましい。
【００２８】
導光板１０ｂの透光部２３ｂに上記のような各切断部４０を設けることで、光源８ｂから導光板１０ｂの端部に入射した光は、各切断部４０を画定する各面の間で全反射しながら導光板１０ｂ内を伝搬することになる。すなわち、光源８ｂから入射した光は、隣り合う２つの切断部４０の間で全反射して光学制御部１６ｂまで伝搬することになる。このため、入射した光が広がることなく伝搬するので、光利用効率とコントラストを高めることができる。
【００２９】
ここで、各切断部４０と光学制御部１６ｂとの間には、ある程度の距離が設けられていることが好ましい。この距離Ｗを適切に設定することで、輝度ムラを低減することができる。距離Ｗについては、導光板１０ｂの厚みと相関があり、具体的には、距離Ｗを導光板１０ｂの厚みの１０倍以上とすることが好ましい。例えば、導光板１０ｂの厚みｄが３００μｍの場合であれば、距離Ｗを３ｍｍ以上とすることで輝度ムラ低減の効果が得られる。輝度ムラとコントラストの両方を考慮した場合、距離Ｗは、導光板１０ｂの厚みｄの１５倍〜１００倍の範囲で設定することが好ましい。
【００３０】
図６は、多くの発光領域を有する面光源装置の構成例を示す模式的な斜視図である。上記の面光源装置１００は、発光領域Ａ０１、Ａ０２のそれぞれ個別に光を出射させることができる。すなわち、発光面を各発光領域ごとに分割して発光させることができる。また、各導光板１０ａ等における光の直進性が高いので、光源から出射する光の主たる進行方向に対して略直交する方向に複数の発光領域を設け、複数の光源を用いてそれらの駆動をブロックごとに行うことで、より多くの発光領域を個別に発光させることができる。これを実現する面光源装置の構成例を以下に説明する。
【００３１】
図６に示す面光源装置１００ａは、図中上下方向であるｙ方向に重ねて配置された２つの導光板１０ａ、１０ｂの図中左側に設けられた一方側面において、図中の奥行き方向であるｚ方向（左側面の長手方向）に沿って多数配列された発光素子からなる光源８ａ、８ｂを用いる。各導光板１０ａ、１０ｂの構成は上記と同様である。また、便宜上図示を省略しているが、各導光板１０ａ等の下面側にはそれぞれ反射シート１２ａ、１２ｂが配置されており、導光板１０ａの上面側にはプリズムシート１４が配置されている。また、光源駆動回路１９も図示を省略しているが各光源８ａ等に接続されている。
【００３２】
図示の例では、各導光板１０ａ、１０ｂごとに、それぞれに対応付けられた各光源８ａ、８ｂについてそれぞれ４つずつの発光素子を１ブロックとして各ブロックごとに発光素子を点消灯制御する。また、上記の通りｘ方向（図中左右方向）については、各ブロックごとに２つの発光領域を個別に発光させることができる。従って、例えば、図中手前のブロックの各光源８ａ、８ｂにおける各々４つずつの発光素子を個別に発光させることで、発光領域Ａ０１、Ａ０２を個別に発光させることができる。このようなブロックを奥行き方向（ｚ方向）にｍ列設けているので、２×ｍ個の発光領域を個別に発光させることができる。なお、各ブロックに割り当てる発光素子の数は４つに限られない。例えば、１つとしてもよく、その場合にはさらに細かく分かれた発光領域を設けることができる。
【００３３】
図７は、他の実施形態の面光源装置の構成を示す模式的な断面図である。上記した図１に示した面光源装置１００との比較では、導光板１０ｂの配置のみが異なっている。それ以外の構成は共通であるので、同符号を付すことで各構成の詳細な説明は省略する。図７に示す面光源装置１００ｂは、光学制御部１６ｂが導光板１０ｂの上面側、すなわち導光板１０ａと近い側に設けられている。
【００３４】
図８は、導光板の上面側に光学制御部を設けた場合の導光板内部での挙動（伝搬状態）について説明するための図である。ここでは、導光板１０ｂを簡素化して示すとともに、導光板１０ｂの内部における光路を細線によって模式的に示している。図示のように、導光板１０ｂの上面へ出射する光は、乱反射光や拡散光ではなく直進性を持つ光として導光板１０ｂの上面において、この上面の法線方向を基準としてそれと一致しない斜め方向に一定角度で偏向されて出射する。
【００３５】
詳細には、光源８ｂから導光板１０ｂへ入射して光学制御部１６ｂに到達した光は、プリズム部２０ｂへの入射角が臨界角より小さくなるまでの間は光学制御部１６ｂの存在する区間において全反射を繰り返し、入射角が臨界角に達すると導光板１０ｂの上面側へ出射する。この出射した光は、プリズムシート１４へ到達する。なお、導光板１０ｂの下面への入射角θが臨界角よりも小さい場合には、光が空気層へ出射し、反射シート１２ｂによって反射されて再び導光板１０ｂに戻る。
【００３６】
このような構成によれば、導光板１０ｂの光学制御部１６ｂが上側の導光板１０ａにより近接するので、面光源装置１００ｂを全発光させたときの見栄えをより良くすることができる。
【００３７】
以上のような各実施形態によれば、輝度ムラを抑制して輝度均一性を向上させた面光源装置が得られる。
【００３８】
なお、本発明は上記した実施形態の内容に限定されるものではなく、本発明の要旨の範囲内において種々に変形して実施をすることが可能である。例えば、各光源を構成する発光素子は上記したＬＥＤに限られない。また、導光板の積層数は上記した２つに限定されない。また、上記した実施形態の面光源装置において光路調整板として用いられていたプリズムシートを光拡散板に置き換えてもよい。
【００３９】
また、上記した実施形態における複数の切断部は、導光板を１つだけ用いる面光源装置に適用しても効果的である。以下、その具体例について説明する。
【００４０】
図９は、他の実施形態の面光源装置の構成を示す模式的な断面図である。上記した図１に示した面光源装置１００との比較では、光源８ａ、導光板１０ａ、反射シート１２ａが省略された点と、導光板１０ｂの光源８ｂに近い側の端部に切断部領域４２と反射シート１２ｃを設けた点が異なっている。それ以外の構成は共通であるので、同符号を付すことで各構成の詳細な説明は省略する。図９に示す面光源装置１００ｃにおける切断部領域４２は、上記した複数の切断部４０および接合部４１（図５参照）が設けられている領域である。また、反射シート１２ｃは、導光板１０ｂの上面側において切断部領域４２と重なる範囲に設けられている。この反射シート１２ｃと下面側の反射シート１２ｂによって切断部領域４２が挟まれているので、切断部領域４２からの光漏れを防ぐことができる。このような構成によれば、各光源８ｂから入射する光の直進性を向上し、各光源８ｂごとに発光領域を切り換えた際のコントラストを向上することができる（図６参照）。
【００４１】
図１０は、他の実施形態の面光源装置の構成を示す模式的な断面図である。図９に示した面光源装置との比較では、切断部領域および反射シートが湾曲して設けられている点のみが異なっている。それ以外の構成は共通であるので、同符号を付すことで各構成の詳細な説明は省略する。図１０に示す面光源装置１００ｄにおける切断部領域４２は、図示のように円弧状に１８０°湾曲して設けられており、その端部が導光板１０ｂの下側に配置されている。それに伴い、光源８ｂも導光板１０ｂの下側に配置されている。反射シート１２ｄも切断部領域４２の湾曲に対応した円弧状に設けられている。このような導光板１０ｂを得るには、例えばポリカーボネート基材を用いたフィルム導光板を用いることが好ましい。図１１は、切断部領域４２を拡大して示した斜視図である。図示のように、切断部領域４２の各切断部４０は、切断部領域４２に沿って湾曲して設けられている。このような構成によれば、狭額縁化した液晶表示装置などに適した面光源装置が得られる。
【符号の説明】
【００４２】
１００：面光源装置
８ａ、８ｂ：光源
１０ａ、１０ｂ：導光板
１２ａ、１２ｂ：反射シート
１４：プリズムシート
１６ａ、１６ｂ：光学制御部
１９：光源駆動回路
２０ａ、２０ｂ：プリズム部
２１ａ、２２ａ：斜面
２３ａ、２３ｂ：透光部
３０ａ：プリズム部
３１ａ、３２ａ：斜面
【図１】
2018198158.tif 000003
【図２】
2018198158.tif 000004
【図３】
2018198158.tif 000005
【図４】
2018198158.tif 000006
【図５】
2018198158.tif 000007
【図６】
2018198158.tif 000008
【図７】
2018198158.tif 000009
【図８】
2018198158.tif 000010
【図９】
2018198158.tif 000011
【図１０】
2018198158.tif 000012
【図１１】
2018198158.tif 000013